(57)【要約】【課題】複数のフレームを順次切り換えて表示させる場合に、フレームの画素パターン切換時間を短縮することが可能な表示装置及び表示方法を提供することを目的とする。【解決手段】表示装置４００の備える画素電極１０２を複数の画素グループに分割し、複数の画素グループのうち、画素グループＡにおいてフレームの表示が完了する前に、画素グループＢにおいて他のフレームの表示を開始させることにより、複数のフレームを順次切り換えて表示させる場合にフレームの表示切換時間を短縮する。【選択図】図８
2008051939.tif 000002
【特許請求の範囲】
【請求項１】
画素電極が複数の画素グループに分割され、各前記画素グループ毎にフレームが表示される表示装置であって、
前記画素グループにおけるフレームの表示を制御する制御手段を有し、
前記制御手段は、前記複数の画素グループのうち、第一の画素グループにおいてフレームの表示が完了する前に、第二の画素グループにおいて他のフレームの表示を開始させることを特徴とする表示装置。
【請求項２】
電気泳動素子を挟んで対向して設けられた二つの基板と、一方の前記基板にマトリクス状に配列され、複数の画素グループに分割された画素電極と、他方の前記基板に配置された共通電極とを有する表示装置において、
前記画素グループにおけるフレームの表示を制御する制御手段を有し、
前記制御手段は、前記複数の画素グループのうち、第一の画素グループにおいてフレームの表示が完了する前に、第二の画素グループにおいて他のフレームの表示を開始させることを特徴とする表示装置。
【請求項３】
設定手段を有し、
前記制御手段は、前記設定手段の設定に基づき前記画素電極へ所定のフレームに対応した表示データを出力することを特徴とする請求項１または２に記載の表示装置。
【請求項４】
前記設定手段の設定に基づき、当該表示装置において表示される前記フレームの最大フレーム数に対する、各前記画素グループにおいて表示されるフレームの数の比率が決定されることを特徴とする請求項１ないし３のいずれか一項に記載の表示装置。
【請求項５】
表示画素が複数の画素グループに分割され、各前記画素グループ毎にフレームが表示される表示方法であって、
前記複数の画素グループのうち、第一の画素グループにおいてフレームの表示が完了する前に、第二の画素グループにおいて他のフレームの表示を開始することを特徴とする表示方法。
【請求項６】
電気泳動素子を挟んで対向して設けられた二つの基板と、一方の前記基板にマトリクス状に配列され、複数の画素グループに分割された画素電極と、他方の前記基板に配置された共通電極とを有する表示装置における表示方法において、
各前記画素グループ毎にフレームが表示され、
前記複数の画素グループのうち、第一の画素グループにおいてフレームの表示が完了する前に、第二の画素グループにおいて他のフレームの表示を開始することを特徴とする表示方法。
【発明の詳細な説明】
【技術分野】
【０００１】
本発明は、電気泳動素子を用いた表示装置、表示方法に関する。
【背景技術】
【０００２】
近年、様々な方式のペーパー型の表示装置が開発されている。このような表示装置では、例えばその表示部に１ページの文書を表示させ、表示させるページ（フレーム）を順次切り換えて行くことにより実際の書籍と同じようにユーザの任意の速度に合わせてページをめくることができる電子書籍などに用いられている。このようなペーパー型の表示装置では、例えば電気泳動素子を用いた表示装置が提案されている。図１は従来の電気泳動素子を用いた表示装置の構成例を説明する図である。
【０００３】
図１（Ａ）は従来の表示装置１００の構成を説明する第一の図、図１（Ｂ）は従来の表示装置１００の構成を説明する第二の図、図１（Ｃ）は、ＴＦＴ１０５を拡大した図である。
【０００４】
図１（Ａ）に示すように、表示装置１００は、表示部１２０と表示部を駆動する駆動回路１３０とを有する。
【０００５】
以下、図１（Ｂ）、（Ｃ）を参照して表示部１２０について説明する。
【０００６】
表示部１２０は、図１（Ｂ）に示すように、対向した基板である電極基板１０１Ａ、回路基板１０２Ａを有し、電極基板１０１Ａには透明な共通電極１０１が設けられている。そして、回路基板１０２Ａには、薄膜トランジスタ（以下、ＴＦＴ（Thin Film Transistor））１０５、走査線１０６、信号線１０７が設けられ、さらにその上にマトリクス状に区切られて配列された画素電極１０２が設けられている。
【０００７】
共通電極１０１と画素電極１０２の間には、正電荷または負電荷を帯電した白色泳動粒子１０３と黒色泳動粒子１０４とが分散した液体が封入されている。このとき白色泳動素子１０３と黒色泳動素子１０４は互いに異なる電荷を帯電している。
【０００８】
電極基板１０１Ａに設けられた共通電極１０１には、に一定の電圧が印加される。回路基板１０２Ａに設けられた画素電極１０２は、それぞれが、回路基板１０２Ａに実装されたＴＦＴ１０５のソース電極と導通している（図１（Ｃ）参照）。
【０００９】
そして、回路基板１０２Ａに設けられたＴＦＴ１０５のうち、行方向に配置されたＴＦＴ１０５は、互いのゲート電極１１２が走査線１０６に接続される（図１（Ｃ）参照）。また、列方向に配置されたＴＦＴ１０５は互いのゲート電極１１２が回路基板１０２Ａ上の信号線１０７に接続される（図示せず）。
【００１０】
ＴＦＴ１０５は、ゲート電極１１２に印加される電圧によって、ソース電極１１３とドレイン電極１１４との間に流れる電流量を制御している。ここで、ＴＦＴ１０５のソース−ドレイン電流が大きい場合、ＴＦＴ１０５のスイッチングをオン状態とし、ソース−ドレイン電流が小さい場合、ＴＦＴ１０５のスイッチングをＯＦＦ状態とする。
【００１１】
駆動回路１３０は、コントローラ１０８、メモリ１０９、走査線ドライバ１１０、信号線ドライバ１１１とから構成されている。コントローラ１０８は、表示装置１００における表示を制御する制御手段である。メモリ１０９には、表示装置１００に表示される複数のフレームと、各フレームの有するパターンを形成する各画素毎の表示データが記憶されている。
【００１２】
以下に図１（Ａ）を参照して表示装置１００の動作について説明する。
【００１３】
表示装置１００に新たなフレームを表示する場合、コントローラ１０８から走査線ドライバ１１０へ走査命令信号１０Ｂが送られる。この走査命令信号１０Ｂにより、走査線ドライバ１１０から、走査線１０６を通じてＴＦＴ１０５のゲート電極１１２に電圧が印加され、ＴＦＴ１０５のスイッチングが制御される。ここで、コントローラ１０８からの走査命令信号１０Ｂには、オン状態とするＴＦＴ１０５を決定する制御信号及び走査線ドライバ１１０から電圧を出力するタイミングを決定する制御信号が含まれる。
【００１４】
また、コントローラ１０８からは、メモリ１０９へアドレッシング信号１０Ａが送られ、信号線ドライバ１１１へ表示命令信号１０Ｃが送られる。メモリ１０９では、アドレッシング信号１０Ａに基づき、フレームの有するパターンを形成する各画素毎の表示データ１０Ｄが抽出される。抽出された表示データ１０Ｄは、信号線ドライバ１１１へ送られる。
【００１５】
信号線ドライバ１１１は、表示命令信号１０Ｃと表示データ１０Ｄに基づき、信号線１０７を通じて各ＴＦＴ１０５のゲート電極１１２に電圧を印加する。ここでコントローラ１０８からの表示命令信号１０Ｃには、信号線ドライバ１１１から電圧が出力されるタイミングを決定する制御信号が含まれている。
【００１６】
画素電極１０２には、オン状態のＴＦＴ１０５を介して、ＴＦＴ１０５のゲート電極１１２に印加された電圧が印加される。そして、画素電極１０２に正電圧または負電圧が印加される。すると、画素電極１０２と共通電極１０１との間に電位差による電界が生じ、白色泳動素子１０３または黒色泳動素子１０４が共通電極１０１側へ移動する。これにより、共通電極１０１側にパターンが表示される。
【００１７】
このように、表示装置１００では、走査命令信号１０Ｂに基づき走査線１０６に接続されたＴＦＴ１０５を順次オン状態とし、全てのＴＦＴ１０５に接続された画素電極１０２で所望のパターンが表示された時点で、フレームの表示が完了する。尚、ＴＦＴ１０５を順次オンの状態として行くことを以下の説明において走査と言う。
【００１８】
以下に、図２、図３を参照して表示装置１００におけるフレームの切換動作について説明する。図２は表示装置１００における表示部の一例を示す図であり、図３は表示装置１００におけるフレームの切換動作を説明するタイミングチャートである。
【００１９】
図２に示す表示部Ａ０１は、走査線Ｘ１〜Ｘ６と、信号線Ｙ１〜Ｙ８を有する。また、図３に示すタイミングチャートにおける走査線Ｘ１〜Ｘｍは、表示部Ａ０１の走査線Ｘ１〜Ｘ６に該当し、信号線Ｙ１〜Ｙｎは、表示部Ａ０１の信号線Ｙ１〜Ｙ８に該当する。そして、表示部Ａ０１の初期状態における表示状態を図３に示す表示状態Ａとし、表示部Ａ０１における表示状態は、表示状態Ａから表示状態Ｂ、表示状態Ｂから表示状態Ｃへと切り替わっていくものとする。
【００２０】
表示装置１００は、表示部Ａ０１において走査線Ｘ１から走査線Ｘ６まで順次走査する。すなわち、走査線Ｘ１に接続されたＴＦＴ１０５から走査線Ｘ６に接続されたＴＦＴ１０５までが順次オンの状態となるようにスイッチング制御する。図３においては、走査線Ｘｎに印加される信号がハイレベル（以下、Ｈレベル）のとき、ＴＦＴ１０５はＯＦＦの状態となり、走査線Ｘｎに印加される信号がローレベル（以下、Ｌレベル）のとき、ＴＦＴ１０５はオンの状態となるものとした。尚、この論理はＴＦＴの特性によって変化するものである。
【００２１】
表示部Ａ０１では、一度の走査に係る時間である走査時間Ｂ０２が経過すると、各画素電極１０２では、表示状態Ｂを示すパターンの表示させるための電圧が印加された状態となる。
【００２２】
すると表示装置１００では、画素電極１０２と共通電極１０１との間に生じた電界により白色泳動素子１０３と黒色泳動素子１０４が移動して、各画素電極１０２がある色のパターンから別の色のパターンに切り換わる。そして、各画素電極１０２が別の色のパターンに切り換わるまでに要する画素パターン切換時間Ｂ０１を経過すると、表示部Ａ０１の表示状態は、表示状態Ａから表示状態Ｂへ切り換わる。
【００２３】
すなわち、表示装置１００では、表示部Ａ０１に表示されるフレームの切り換えにおいて、１フレームの表示の切り換えに要する表示切換時間は、走査時間と画素パターン切換時間との合計となる。
【００２４】
表示装置１００における走査時間は、各走査線１０６を走査し、各画素電極１０２に電圧を印加する期間である。ここで、各画素電極１０２に電圧を印加する時間は極めて短いため、走査時間は、画素パターン切換時間よりも十分短い。よって、１フレームの表示に要する時間は、画素パターン切換時間の長さに依存する。
【発明の開示】
【発明が解決しようとする課題】
【００２５】
しかしながら、画素パターン切換時間は数１０〜数１００ｍｓであり、これは液晶ディスプレイ等、他の方式のディスプレイよりも長い。この画素パターン切換時間は、電気泳動素子の特性などに依存するものであり、表示方法に関わらず一定である。よって、表示させるフレームを切り換える際に、画素パターン切換時間を短縮させることにより、表示の切換に係る表示切換時間を短縮することは困難である。
【００２６】
また、表示装置では、複数のフレームを順次切り換えて表示させることにより、ユーザの所望のフレームを表示させる場合がある。例えば複数のページ（フレーム）を有する電子文書等において、ユーザがページを１ページずつめくり、めくっているページの内容を確認しながら所望のページを探す場合などである。このような場合、上記従来の表示装置ではフレームの切換に時間がかかるため、ユーザ所望のフレームが表示されるまでの待ち時間がユーザにとって苦痛となる。
【００２７】
本発明は、上記の問題点を鑑みて、これを解決すべくなされたものであり、複数のフレームを順次切り換えて表示させる場合に、フレームの表示の切り換えに係る表示切換時間を短縮することが可能な表示装置及び表示方法を提供することを目的とするものである。
【課題を解決するための手段】
【００２８】
本発明の表示装置は、上記の問題点を解決すべく以下の如き構成を採用した。
【００２９】
本発明の表示装置は、画素電極が複数の画素グループに分割され、各前記画素グループ毎にフレームが表示される表示装置であって、前記画素グループにおけるフレームの表示を制御する制御手段を有し、前記制御手段は、前記複数の画素グループのうち、第一の画素グループにおいてフレームの表示が完了する前に、第二の画素グループにおいて他のフレームの表示を開始させる構成とすることができる。
【００３０】
係る構成によれば、複数のフレームを順次切り換えて表示させる場合にフレームの表示の切り換えに係る表示切換時間を短縮することが可能となる。
【００３１】
本発明の表示装置は、電気泳動素子を挟んで対向して設けられた二つの基板と、一方の前記基板にマトリクス状に配列され、複数の画素グループに分割された画素電極と、他方の前記基板に配置された共通電極とを有する表示装置において、前記画素グループにおけるフレームの表示を制御する制御手段を有し、前記制御手段は、前記複数の画素グループのうち、第一の画素グループにおいてフレームの表示が完了する前に、第二の画素グループにおいて他のフレームの表示を開始させる構成とすることができる。
【００３２】
係る構成によれば、電気泳動素子を用いた表示装置においても複数のフレームを順次切り換えて表示させる場合にフレームの表示の切り換えに係る表示切換時間を短縮することが可能となる。
【００３３】
また、本発明の表示装置は、設定手段を有し、前記制御手段は、前記設定手段の設定に基づき前記画素電極へ所定のフレームに対応した表示データを出力する構成とすることができる。
【００３４】
係る構成によれば、前記設定手段の設定により前記画素電極を任意のグループ数に分割することができるので、前記フレームに表示される画素パターンの切換時間を当該表示装置の使用条件に合わせて設定することができる。
【００３５】
また、本発明の表示装置は、記設定手段の設定に基づき、当該表示装置において表示される前記フレームの最大フレーム数に対する、各前記画素グループにおいて表示されるフレームの数の比率が決定される構成とすることができる。
【００３６】
係る構成によれば、前記比率を設定することができるので、前記フレームの表示の切り換えに係る表示切換時間及び表示される前記フレームの視認性を当該表示装置の使用条件に合わせて設定することができる。
【００３７】
本発明の表示方法は、表示画素が複数の画素グループに分割され、各前記画素グループ毎にフレームが表示される表示方法であって、前記複数の画素グループのうち、第一の画素グループにおいてフレームの表示が完了する前に、第二の画素グループにおいて他のフレームの表示を開始する方法とすることができる。
【００３８】
係る方法によれば、複数のフレームを順次切り換えて表示させる場合にフレームの表示の切り換えに係る表示切換時間を短縮することが可能となる。
【００３９】
本発明の表示方法は、電気泳動素子を挟んで対向して設けられた二つの基板と、一方の前記基板にマトリクス状に配列され、複数の画素グループに分割された画素電極と、他方の前記基板に配置された共通電極とを有する表示装置における表示方法において、各前記画素グループ毎にフレームが表示され、前記複数の画素グループのうち、第一の画素グループにおいてフレームの表示が完了する前に、第二の画素グループにおいて他のフレームの表示を開始する方法とすることができる。
【００４０】
係る方法によれば、電気泳動素子を用いた表示方法においても、複数のフレームを順次切り換えて表示させる場合にフレームの表示の切り換えに係る表示切換時間を短縮することが可能となる。
【発明の効果】
【００４１】
本発明の表示装置及び表示方法によれば、複数のフレームを順次切り換えて表示させる場合に、フレームの表示の切り換えに係る表示切換時間を短縮することが可能となる。
【発明を実施するための最良の形態】
【００４２】
本発明では、表示装置の備える画素電極を複数の画素グループに分割し、複数の画素グループのうち、第一の画素グループにおいてフレームの表示が完了する前に、第二の画素グループにおいて他のフレームの表示を開始させることにより、複数のフレームを順次切り換えて表示させる場合にフレームの表示の切り換えに係る表示切換時間を短縮する。
【実施例１】
【００４３】
以下に図４を参照して本発明の実施例１について説明する。図４は実施例１の表示装置４００の構成を示すブロック図である。
【００４４】
表示装置４００は、電気泳動素子を用いた表示部４１０と、表示部４１０を駆動させる駆動部４２０とを有する。本実施例の表示装置４００では、例えば複数のページを有する電子書籍などを表示するために用いられるものである。表示装置４００では、表示部４１０に表示されるページを順次切り換えて表示することにより、複数のページをめくるように表示させることができる。尚、本実施例の説明では、例えばこのような電子書籍におけるページのように、表示部４１０において表示される静止画像をフレームと呼ぶ。
【００４５】
表示部４１０において、図１の表示部１２０と同様の構成である部分には、図１で使用した符号と同様の符号を付与し、説明を省略する。表示部４１０における表示については後述する。
【００４６】
駆動部４２０は、コントローラ４２１、メモリ４２２、走査線ドライバ４２３、信号線ドライバ４２４、設定部４２５とから構成されている。
【００４７】
コントローラ４２１は表示部４１０における表示の制御を司る。メモリ４２２には、表示部４１０に表示される複数のフレームと、各フレームの有するパターンを形成する各画素電極毎の表示データ、表示部４１０において現在表示されているフレームが、複数のフレームのうち、どのフレームであるかを認識するための識別情報等が格納されている。
【００４８】
走査線ドライバ４２３は、コントローラ４２１から出力される走査命令信号に基づき走査線１０６を走査する。信号線ドライバ４２４はコントローラ４２１からの表示命令信号に基づき、オン状態のＴＦＴ１０５に接続された画素電極１０２へ表示データを出力する。設定部４２５では、表示装置４００における各種設定が行われる。
【００４９】
以下に、本実施例の表示装置４００の動作を説明する。
【００５０】
表示装置４００においてユーザにより表示指示がなされると、コントローラ４２１は、走査線ドライバ４２３へ走査命令信号４２１Ａを出力する。走査線ドライバ４２３は、この走査命令信号４２１Ａを受けて、走査線１０６に順次電圧を印加し、各走査線上にあるＴＦＴ１０５へ電圧を印加していく。
【００５１】
また、コントローラ４２１は、表示指示を受けて、信号線ドライバ４２３へ表示命令信号４２１Ｂを出力し、メモリ４２２へアドレッシング信号４２１Ｃを出力する。メモリ４２２は、このアドレッシング信号４２１Ｃを受けると、アドレッシング信号４２１Ｃに基づき各フレームのパターンを形成する各画素毎の表示データ４２２Ｄを抽出し、抽出された各画素電極毎の表示データ４２２Ｄを信号線ドライバ４２３へ出力する。
【００５２】
信号線ドライバ４２４は、コントローラ４２１からの表示命令信号４２１Ｂを受けて、信号線１０７へ電圧を印加し、メモリ４２２から受けた表示データをオン状態となっているＴＦＴ１０５に接続された画素電極１０２へ表示させる。
【００５３】
ここで、図５を参照して表示部４１０における表示について説明する。図５は実施例１の表示装置４００の表示部４１０を説明する図である。
【００５４】
表示部４１０では、画素電極１０２が走査線を単位として二つの画素グループＡ、画素グループＢに分割されている。本実施例では、表示部４１０における走査線１０６をＸ１〜Ｘｎ（ｎは整数）としたとき、ｎが奇数の走査線上にある画素電極１０２を画素グループＡに属する画素電極とした。そして、ｎが偶数の走査線上にある画素電極１０２を画素グループＢに属する画素電極とした。
【００５５】
このように、画素電極１０２を画素グループＡに属する画素電極と、画素グループＢに属する画素電極に分割し、各々の画素グループに属する画素電極に、それぞれ異なるフレームのパターンを形成する表示データを表示させることにより、表示部４１０において、同時に異なる二つのフレームを表示させることができる。
【００５６】
各画素グループにおける表示の制御は、設定部４２５の設定に基づきコントローラ４２１により行われる。
【００５７】
設定部４２５では、例えばメモリ４２２に格納された複数のフレームを、それぞれどの画素グループに表示させるかを設定することが可能であっても良い。コントローラ４２１は、この設定に基づき各画素グループの画素電極１０２に表示させる表示データの出力を制御する。
【００５８】
例えば設定部４２５において、画素グループＡには複数フレームの中で偶数番目のフレームを表示させ、画素グループＢには複数フレームの中で奇数番目のフレームを表示させるように設定されていたとする。この場合、コントローラ４２１は、走査によりオン状態となったＴＦＴ１０５に接続された画素グループＡに属する画素電極１０２に対し、偶数番目のフレームを形成する表示データを出力し、表示させる。そして、コントローラ４２１は、オン状態となったＴＦＴ１０５に接続された画素グループＢに属する画素電極１０２に対し、奇数番目のフレームを形成する表示データを出力し、表示させる。
【００５９】
尚本実施例では画素電極１０２を走査線１０６単位でグループに分割したが、分割の仕方はこれに限定されるものではなく、例えば信号線１０７単位でグループに分割されても良いし、走査線１０６や信号線１０７を単位とせずに、各グループに属する画素電極を散在させても良い。画素電極１０２の分割の仕方も設定部４２５により設定されても良い。
【００６０】
また、表示装置４００では、各画素グループに属する画素電極１０２に表示させる表示データを出力するタイミングを制御することにより、各画素グループに表示される二つのフレームの表示を開始するタイミングを独立して制御することができる。
【００６１】
そこで、本実施例の表示装置４００では、第一の画素グループである画素グループＡにおいてフレームの表示が完了する前に、第二の画素グループである画素グループＢにおいて他のフレームの表示を開始させる。係る構成によれば、表示部４１０において複数のフレームを順次切り換えて表示させる場合に、最初のフレームを表示してから最後のフレームの表示が完了をするまでの表示切換時間を短縮することができる。尚、以下の説明では、表示部４１０において最初のフレームから最後のフレームまで、順次切り換えて表示させる処理を、順次表示切換処理と呼ぶ。
【００６２】
以下に図６乃至図８を参照して表示部４１０における複数フレームの順次表示切換処理について説明する。
【００６３】
図６は、表示部４１０に表示される複数のフレームの例を示す図である。図７は、二つの画素グループにおいて、それぞれに表示されるフレームのパターンを説明するタイミングチャートである。図８は、図７のタイミングチャートに対応させた走査線、信号線への入力信号及び表示部の表示状態を説明する図である。
【００６４】
ここで、図７に示すＦｘは、表示部４１０において順次表示される複数のフレーム（図６参照）のうち、ｘ番目に表示される第ｘフレームを示している。
【００６５】
また、Ｆ０は表示部４１０において順次表示切換処理を開始する前の初期状態において表示される初期フレーム（最初のフレーム）であり、Ｆ７はフレームの表示切換を終了するときに表示させたい目標とされる目標フレーム（最後のフレーム）である。ここで、Ｆ７のように、そのフレームにおいて表示切り換えを終了させるフレームを目標フレームと呼ぶ。
【００６６】
表示装置４００では、図７に示す時点Ｐ０において表示切換の指示を受け付けると、表示部４１０において表示されたフレームＦ０から次のフレームであるＦ１へ表示切換処理を開始する。
【００６７】
本実施例では、画素グループＡには初期フレームＦ０と目標フレームＦ７の他に、ｘが偶数となるフレームが表示されるものとし、画素グループＢには初期フレームＦ０と目標フレームＦ７の他に、ｘが奇数となるフレームが表示されるものとした。表示部４１０では、走査のタイミングに基づき、各画素グループに属する画素電極に電圧を印加するタイミングに時間差を設けている。画素電極に電圧が印加されるタイミングがずれると、各画素電極ごとに、各画素電極の有する白色泳動素子と黒色泳動素子が移動を開始するタイミングがずれる。よって、各画素電極において、白色泳動素子と黒色泳動素子の移動が完了し、表示データの表示が完了するタイミングもずれることとなる。本実施例の表示装置４００では、このタイミングのずれを利用し、画素グループＡにフレームのパターンが表示されるタイミングと画素グループＢにフレームのパターンが表示されるタイミングを互い違いにすることにより、Ｆ０を表示してからＦ７の表示が完了をするまでの表示切換時間を短縮する。
【００６８】
表示装置４００は、図７に示す時点Ｐ０において表示切換指示を受け付けると、図８に示す走査時間４０２における走査により、表示切換の動作を開始する。
【００６９】
以下に時点Ｐ０における表示状態について説明する。
【００７０】
時点Ｐ０での表示部４１０の表示状態は、初期フレームＦ０が表示された状態となっている。この時点での表示状態をＳ０として図８に示す。表示部４１０は、この初期フレームＦ０をＦ１へ切り換える動作を開始する。ここで、Ｆ０の次のフレームＦ１は画素グループＢにおいて表示されるので、時点Ｐ０では画素グループＢにおいて表示されるフレームのみが切換られる。
【００７１】
画素グループＢでは、表示切換が開始されると、図８に示すように走査期間３０２の走査において、画素グループＢに属する各画素電極にＦ１のパターンを形成する表示データが入力される。そして画素フレームＢにおいてＦ１のパターンの表示が開始される。この走査期間３０２の走査では、画素グループＡにおいて表示されるフレームの切換はまだ開始されない。よって走査期間３０２の走査では、画素グループＡには初期フレームＦ０のパターンを形成する表示データが継続して入力される。
【００７２】
次に時点Ｐ１における表示部４１０の表示状態について説明する。
【００７３】
時点Ｐ１での表示部４１０の表示状態をＳ１として図８に示す。時点Ｐ１における画素グループＡでは、フレームＦ０のパターンの次に表示されるフレームであるＦ２のパターンを表示すべく表示切換が開始される。また時点Ｐ１における画素グループＢでもＦ０のパターンからＦ１のパターンへの表示切換中である。よって、表示部４１０では、Ｆ０のパターンが視認可能な状態で表示され続けている。
【００７４】
次に、時点Ｐ２における表示状態について説明する。
【００７５】
時点Ｐ２での表示部４１０の表示状態をＳ２とし、図８に示す。時点Ｐ２における画素グループＡでは、Ｆ０のパターンからＦ２のパターンへの表示切換中であり、いずれのフレームも視認可能に表示されていない。時点Ｐ２における画素グループＢでは、Ｆ０のパターンからＦ１のパターンへの表示切換が完了し、Ｆ１のパターンが視認可能に表示されている。
【００７６】
よって、表示部４１０では、Ｆ１が視認可能な状態で表示された状態となる。すなわち、時点Ｐ２で、表示部４１０における初期フレームＦ０のパターンから次のフレームＦ１のパターンへの表示切換が完了する。ここで、Ｆ０のパターンからＦ１のパターンへの表示切換に係る表示切換時間をＴａとする。またこのとき、表示部４１０では画素グループＢに表示されたＦ１の背景に、画素グループＡにおける表示切換により生じる多少の残像が表示されることが予測されるが、この残像はＦ１の視認性を阻害しない程度のものである。
【００７７】
次に、時点Ｐ３における表示部４１０の表示状態について説明する。
【００７８】
時点Ｐ３での表示部４１０の表示状態をＳ３とし、図８に示す。時点Ｐ３における画素グループＡでは、時点Ｐ１から開始したＦ０のパターンからＦ２のパターンへの表示切換が完了し、Ｆ２のパターンが視認可能に表示されている。時点Ｐ３における画素グループＢでは、時点Ｐ２より開始されたＦ１のパターンからＦ３のパターンへの表示切換中であるから、いずれのフレームも視認可能に表示されていない。
【００７９】
よって、表示部４１０では、Ｆ２が視認可能な状態で表示された状態となる。すなわち、時点Ｐ３で、表示部４１０における初期フレームＦ１のパターンから次のフレームＦ２のパターンへの表示切換が完了する。ここで、Ｆ１のパターンからＦ２のパターンへの表示切換に係る表示切換時間をＴｂとする。
【００８０】
次に、時点Ｐ４における表示部４１０の表示状態について説明する。
【００８１】
時点Ｐ４での画素グループＡ、は時点Ｐ３から開始したＦ２のパターンからＦ４のパターンへの表示切換中であり、いずれのフレームも視認可能に表示されていない。時点Ｐ４での画素グループＢは、時点Ｐ２から開始したＦ１のパターンからＦ３のパターンへの表示切換が完了し、Ｆ３のパターンが視認可能に表示されている。
【００８２】
よって、表示部４１０では、Ｆ３が視認可能な状態で表示された状態となる。すなわち、時点Ｐ４で、表示部４１０におけるフレームＦ２から次のフレームＦ３への表示切換が完了する。
【００８３】
ここで、表示切換時間Ｔａと表示切換時間Ｔｂを比較すると、表示切換時間Ｔｂは表示切換時間Ｔａの略半分の長さとなる。表示切換時間Ｔａは、画素パターン切換時間に該当するものであり、従来の表示装置１００における表示切換時間である。
【００８４】
本実施例の表示装置４００では、初期フレームから次のフレームへの表示切換を除き、それ以降の１フレーム毎の表示切換時間を従来の表示装置１００の略半分の長さに短縮している。よって、表示装置４００において複数ページを順次切り換えて目標フレームを表示させるまでの全体の表示切換時間を大幅に短縮することができる。
【００８５】
次に、表示装置４００において、初期フレームから目標フレームに到達するまでの処理を説明する。図９は、表示装置４００における順次表示切換処理を説明するフローチャートである。
【００８６】
表示装置４００において、コントローラ４２１がフレームの表示切換指示を受け付ける（Ｓ９０１）。そして、コントローラ４２１は、表示切換処理が実行される前の初期フレームを第Ｎフレームとする（Ｓ９０２）。ここで、コントローラ４２１は、順次表示切換処理を実行する前に表示されているフレームが、複数のフレームのうち何番目のフレームかを示す識別情報をメモリ４２２から読み出しておく。
【００８７】
次に、コントローラ４２１は、画素グループＡに第Ｎフレームのパターンを表示させ、画素グループＢに第（Ｎ＋１）フレームのパターンを表示させるべく、走査線１０６および信号線１０７へ信号を印加する（Ｓ９０３）。すなわち、ＴＦＴ１０５がオンになっている走査線上に位置する画素電極１０２が、画素グループＡに属する画素電極の場合は、信号線１０７に第Ｎフレームの表示データ信号を印加する。そして、ＴＦＴ１０５がオンになっている走査線上に位置する画素電極１０２が、画素グループＢに属する画素電極の場合は、信号線１０７に第（Ｎ＋１）フレームの表示データ信号を印加する。
【００８８】
次に、コントローラ４２１は、第（Ｎ＋１）フレームが目標フレームであるか否かを判定する（Ｓ９０４）。尚ここで、複数フレームのうち、どのフレームを目標フレームとするか、設定部４２５において予めユーザにより設定されていても良い。また、順次表示切換処理の実行中に、表示切換処理の中断指示を受け付けたときに表示されていたフレームを目標フレームとしても良い。
【００８９】
Ｓ９０４において、第（Ｎ＋１）フレームが目標フレームであった場合、コントローラ４２１は、画素グループＡ、Ｂの両方に第（Ｎ＋１）フレームのパターンを表示させるべく、走査線１０６と信号線１０７へ信号を印加し（Ｓ９０５）、表示切換処理を終了する（Ｓ９１０）。尚、コントローラ４２１は、表示部４１０において目標フレームに到達し、表示切換処理を終了する際に、目標フレームが複数フレームのうち、どのフレームであったかを示す情報をメモリ４２２へ格納しても良い。
【００９０】
Ｓ９０４において、第（Ｎ＋１）フレームが目標フレームでなかった場合、コントローラ４２１は、画素グループＡに第（Ｎ＋２）フレームのパターンを表示させ、画素グループＢに第（Ｎ＋１）フレームのパターンを表示されるべく、走査線１０６と信号線１０７に信号を印加する（Ｓ９０６）。
【００９１】
次にコントローラ４２１は、第（Ｎ＋２）フレームが目標フレームであるか否かを判定する（Ｓ９０７）。Ｓ９０７において、第（Ｎ＋２）フレームが目標フレームであった場合、コントローラ４２１は、画素グループＡ、Ｂの両方に第（Ｎ＋２）フレームのパターンを表示させるべく、走査線１０６と信号線１０７へ信号を印加し（Ｓ９０８）、表示切換処理を終了する（Ｓ９１０）。
【００９２】
Ｓ９０４において、第（Ｎ＋２）フレームが目標フレームでなかった場合、コントローラ４２１は、画素グループＡに第（Ｎ＋２）フレームのパターンを表示させ、画素グループＢに第（Ｎ＋３）フレームのパターンを表示されるべく、走査線１０６と信号線１０７に信号を印加する（Ｓ９０９）。
【００９３】
以下、表示装置４００では表示部４１０において目標フレームが出現するまでＳ９０３からＳ９０９までの処理を繰り返す。
【実施例２】
【００９４】
以下に図面を参照して本発明の実施例２について説明する。本発明の実施例２の表示装置は、実施例１の表示装置４００と構成は同一であり、画素電極を３つのグループに分割した点のみ実施例１と異なる。よって、以下には表示装置４００における画素電極を３つのグループに分割した場合の表示について説明し、表示装置４００を構成する各部については実施例１と同様の符号を付与し、説明を省略する。尚、本実施例における画素グループの数は、予め設定されていたものであっても良い。本実施例における画素グループの数の設定については後述する。
【００９５】
図１０は、実施例２の表示部４１０Ａを説明する図である。
【００９６】
表示部４１０Ａでは、画素電極１０２が走査線を単位として三つの画素グループＡ、画素グループＢ、画素グループＣに分割されている。本実施例では、表示部４１０Ａにおける走査線１０６をＸ１〜Ｘｎ（ｎは整数）としたとき、ｎがｎ＝１＋３（ｋ−１）（ｋ＝１，２，３，・・・）となる走査線上にある画素電極１０２を画素グループＡに属する画素電極とした。そして、ｎがｎ＝２＋３（ｋ−１）となる走査線上にある画素電極１０２を画素グループＢに属する画素電極とした。さらに、ｎがｎ＝３＋３（ｋ−１）となる走査線上にある画素電極１０２を画素グループＣに属する画素電極とした。
【００９７】
このように、画素電極１０２を画素グループＡに属する画素電極と、画素グループＢに属する画素電極と、画素グループＣに属する画素電極とに分割し、各々の画素グループに属する画素電極に、それぞれ異なるフレームのパターンを形成する表示データを表示させるように制御すれば、表示部４１０Ａにおいて、同時に異なる三つのフレームを表示させることができる。
【００９８】
次に、図１１、図１２を参照して実施例２の表示部４１０Ａにおける表示について説明する。図１１は、実施例２の三つの画素グループにおいて、それぞれ順次表示するフレームのパターンを説明するタイミングチャートである。図１２は、図１１のタイミングチャートに対応させた走査線、信号線への入力信号及び表示部の表示状態を示す図である。
【００９９】
以下に時点Ｑ０における表示状態について説明する。
【０１００】
時点Ｑ０での表示部４１０Ａの表示状態は、初期フレームＦ０が表示された状態となっている。表示部４１０Ａは、この初期フレームＦ０をＦ１へ切り換える動作を開始する。ここで、Ｆ０の次のフレームＦ１は画素グループＢにおいて表示されるので、時点Ｑ０では画素グループＢにおいて表示されるフレームのパターンのみが切換られる。
【０１０１】
画素グループＢでは、表示切換が開始されると、図１２に示すように走査期間６０２の走査において、画素グループＢに属する各画素電極にＦ１のパターンを形成する表示データが入力される。そして、画素フレームＢにおいてＦ１の表示が開始される。この走査期間６０２の走査では、画素グループＡ、画素グループＣにおいて表示されるフレームの切換はまだ開始されない。よって走査期間６０２の走査では、画素グループＡ、画素グループＣには初期フレームＦ０のパターンを形成する表示データが継続して入力される。
【０１０２】
次に時点Ｑ１における表示部４１０Ａの表示状態について説明する。
【０１０３】
時点Ｑ１における画素グループＡでは、フレームＦ０のパターンの次に表示されるフレームであるＦ３のパターンを表示すべく表示切換中である。よって、画素グループＡにはいずれのフレームも視認可能に表示されていない。また、時点Ｑ１での画素グループＣでも、初期フレームＦ０のパターンの次に表示されるフレームであるＦ２のパターンを示すべく表示切換中である。よって、画素グループＣにはいずれのフレームも視認可能に表示されていない。
【０１０４】
これに対し、時点Ｑ１における画素グループＢでは、Ｆ０のパターンから画素グループＢにおいて次に表示されるＦ１のパターンへの表示切換が完了し、Ｆ１のパターンが視認可能に表示されている。
【０１０５】
よって、表示部４１０Ａでは、Ｆ１が視認可能な状態で表示された状態となる。すなわち、時点Ｑ１で、表示部４１０Ａにおける初期フレームＦ０のパターンから次のフレームＦ１のパターンへの表示切換が完了する。ここで、Ｆ０のパターンからＦ１のパターンへの表示切換に係る表示切換時間をＴ２ａとする。またこのとき、表示部４１０Ａでは画素グループＢに表示されたＦ１の背景に、画素グループＡ及び画素グループＣにおける表示切換により生じる多少の残像が表示されることが予測されるが、この残像はＦ１の視認性を阻害しない程度のものである。
【０１０６】
次に、時点Ｑ２における表示状態について説明する。
【０１０７】
時点Ｑ２での画素グループＡでは、フレームＦ０のパターンの次に表示されるフレームであるＦ３のパターンを表示すべく表示切換中である。よって、画素グループＡにはいずれのフレームも視認可能に表示されていない。また、時点Ｑ２での画素グループＢでは、Ｆ１のパターンの次に示されるフレームであるＦ４のパターンを表示すべく表示切換中である。よって、画素グループＢにはいずれのフレームも視認可能に表示されていない。
【０１０８】
これに対し、時点Ｑ２での画素グループＣでは、Ｆ０のパターンから、画素グループＣにおいて次に表示されるＦ２のパターンへの表示切換が完了し、Ｆ２のパターンが視認可能に表示されている。
【０１０９】
よって、表示部４１０Ａでは、Ｆ２が視認可能な状態で表示された状態となる。すなわち、時点Ｑ２で、表示部４１０ＡにおけるＦ１のパターンから次のフレームＦ２のパターンへの表示切換が完了する。ここで、Ｆ１のパターンからＦ２のパターンへの表示切換に係る表示切換時間をＴ２ｂとする。
【０１１０】
次に、時点Ｑ３における表示状態について説明する。
【０１１１】
時点Ｑ３での画素グループＢでは、フレームＦ１のパターンの次に画素グループＢに表示されるフレームであるＦ４のパターンを表示すべく表示切換中である。よって、画素グループＢにはいずれのフレームも視認可能に表示されていない。また、時点Ｑ３での画素グループＣでは、Ｆ２のパターンの次に画素グループＣに表示されるフレームであるＦ５のパターンを表示すべく表示切換中である。よって、画素グループＣにはいずれのフレームも視認可能に表示されていない。
【０１１２】
これに対し、時点Ｑ３での画素グループＡでは、Ｆ０のパターンから、画素グループＡにおいて次に表示されるＦ３のパターンへの表示切換が完了し、Ｆ３のパターンが視認可能に表示されている。
【０１１３】
よって、表示部４１０Ａでは、Ｆ３が視認可能な状態で表示された状態となる。すなわち、時点Ｑ３で、表示部４１０ＡにおいてＦ２のパターンから次のフレームＦ３のパターンへの表示切換が完了する。
【０１１４】
ここで、表示切換時間Ｔ２ａと表示切換時間Ｔ２ｂを比較すると、表示切換時間Ｔ２ｂは表示切換時間Ｔ２ａの略１／３の長さとなる。表示切換時間Ｔ２ａは、画素パターン切換時間に該当するものであり、従来の表示装置１００における表示切換時間である。
【０１１５】
すなわち本実施例の表示装置４００では、初期フレームから次のフレームへの表示切換を除き、それ以降の１フレーム毎の表示切換時間を従来の表示装置１００の略１／３の長さに短縮する。よって、表示装置４００において複数ページを順次切り換えて目標フレームを表示させるまでの全体の表示切換時間を大幅に短縮することができる。
【０１１６】
次に、図１３、図１４を参照して実施例２における初期フレームから目標フレームに到達するまでの処理を説明する。図１３は分割される画素グループの数を決定する動作を説明するフローチャートである。
【０１１７】
表示装置４００は、順次表示切換処理の開始指示を受け付けると（Ｓ１３０１）、表示部４１０Ａにおいて分割される画素グループの数が選択される（Ｓ１３０２）。
【０１１８】
ここで、画素グループの数の選択は、例えばＳ１３０１で表示装置４００が順次表示切換処理の開始指示を受け付けたとき、コントローラ４２１が表示部４１０Ａへ画素グループの数を選択させる表示画面を表示させ、ユーザに任意の数字を選択させても良い。または、画素グループの数は、例えば予め設定部４２５により複数通り設定されてメモリ４２２に格納されており、表示装置４００において順次表示切換処理の開始指示がなされる前に、コントローラ４２１がこの設定から適正に画素グループ数を選択しても良い。画素グループの数を大きくするほど、表示切換時間を短縮することができる。
【０１１９】
Ｓ１３０２において、分割される画素グループの数が選択されると、表示装置４００はこの画素グループの数に対応した表示切換処理を開始する（Ｓ１３０３）。そして、表示装置４００は、表示切換処理において目標フレームに到達する、表示切換処理を終了する（Ｓ１３０４）。
【０１２０】
以下に図１４を参照してＳ１３０３における順次表示切換処理について説明する。図１４は、実施例２における順次表示切換処理を説明するフローチャートである。
【０１２１】
表示装置４００において、コントローラ４２１がフレームの順次表示切換の指示を受け付けると、順次表示切換処理を開始する（Ｓ１４０１）。ここで、コントローラ４２１は、順次表示切換処理が実行される前の初期フレームを第Ｎフレームとする（Ｓ１４０２）。
【０１２２】
次に、コントローラ４２１は、画素グループＡに第Ｎフレームのパターンを表示させ、画素グループＢに第（Ｎ＋１）フレームのパターンを表示させ、画素グループＣに第（Ｎ−１）のフレームのパターンを表示させるべく、走査線１０６および信号線１０７へ信号を印加する（Ｓ１４０３）。すなわち、ＴＦＴ１０５がオンになっている走査線上に位置する画素電極１０２が、画素グループＡに属する画素電極の場合は、信号線１０７に第Ｎフレームの表示データ信号を印加する。そして、ＴＦＴ１０５がオンになっている走査線上に位置する画素電極１０２が、画素グループＢに属する画素電極の場合は、信号線１０７に第（Ｎ＋１）フレームの表示データ信号を印加する。さらに、ＴＦＴ１０５がオンになっている走査線上に位置する画素電極１０２が、画素グループＣに属する画素電極の場合は、信号線１０７に第（Ｎ−１）フレームの表示データ信号を印加する。
【０１２３】
次に、コントローラ４２１は、第（Ｎ＋１）フレームが目標フレームであるか否かを判定する（Ｓ１４０４）。尚ここで、複数フレームのうち、どのフレームを目標フレームとするか、設定部４２５において予めユーザにより設定されていても良い。また、順次表示切換処理の実行中に、表示切換処理の中断指示を受け付けたときに表示されていたフレームを目標フレームとしても良い。
【０１２４】
Ｓ１４０４において、第（Ｎ＋１）フレームが目標フレームであった場合、コントローラ４２１は、画素グループＡ、Ｂ、Ｃの全てに第（Ｎ＋１）フレームのパターンを表示させるべく、走査線１０６と信号線１０７へ信号を印加する（Ｓ１４０５）。そして、表示部４１０Ａに第（Ｎ＋１）フレームを表示させ、表示切換処理を終了する（Ｓ１３０４）。尚、コントローラ４２１は、表示部４１０において目標フレームに到達し、表示切換処理を終了する際に、目標フレームが複数フレームのうち、どのフレームであったかを示す情報をメモリ４２２へ格納しても良い。
【０１２５】
Ｓ１４０４において、第（Ｎ＋１）フレームが目標フレームでなかった場合、コントローラ４２１は、画素グループＡに第Ｎフレームのパターンを表示させ、画素グループＢに第（Ｎ＋１）フレームのパターンを表示させ、素グループＣに第（Ｎ＋２）フレームのパターンを表示させるべく、走査線１０６と信号線１０７に信号を印加する（Ｓ１４０６）。
【０１２６】
次にコントローラ４２１は、第（Ｎ＋２）フレームが目標フレームであるか否かを判定する（Ｓ１４０７）。Ｓ１４０７において、第（Ｎ＋２）フレームが目標フレームであった場合、コントローラ４２１は、画素グループＡ、Ｂ、Ｃの全てに第（Ｎ＋２）フレームのパターンを表示させるべく、走査線１０６と信号線１０７へ信号を印加する（Ｓ１４０８）。そして、表示部４１０Ａに第（Ｎ＋２）フレームを表示させ、表示切換処理を終了する（Ｓ１３０４）。
【０１２７】
Ｓ１４０７において、第（Ｎ＋２）フレームが目標フレームでなかった場合、コントローラ４２１は、画素グループＡに第（Ｎ＋３）フレームのパターンを表示させ、画素グループＢに第（Ｎ＋１）フレームのパターンを表示させ、画素グループＣに第（Ｎ＋２）フレームのパターンを表示させるべく、走査線１０６と信号線１０７に信号を印加する（Ｓ１４０９）。
【０１２８】
次にコントローラ４２１は、第（Ｎ＋３）フレームが目標フレームであるか否かを判定する（Ｓ１４１０）。Ｓ１４１０において、第（Ｎ＋３）フレームが目標フレームであった場合、コントローラ４２１は、画素グループＡ、Ｂ、Ｃの全てに第（Ｎ＋３）フレームのパターンを表示させるべく、走査線１０６と信号線１０７へ信号を印加する（Ｓ１４１１）。そして、表示部４１０Ａに第（Ｎ＋３）フレームを表示させ、表示切換処理を終了する（Ｓ１３０４）。
【０１２９】
以下、表示装置４００では表示部４１０Ａにおいて目標フレームが出現するまでＳ１４０３からＳ１４１２までの処理を繰り返す。
【実施例３】
【０１３０】
以下に図面を参照して本発明の実施例３について説明する。本発明の実施例３の表示装置は、実施例２の表示装置４００と構成は同一であり、画素電極を３つのグループに分割している。本実施例では、この３つの画素グループに同時に表示させるフレームのパターンが実施例２と異なる。本実施例では、表示部４１０Ａに表示される最大フレーム数に対する、各画素グループにおいて表示されるフレームの数の比率を変更する。この比率の変更については後述する。
【０１３１】
以下に、実施例２で説明した表示部４１０Ａにおいて表示される本実施例のフレームのパターンについて説明する。
【０１３２】
図１５は、実施例３の三つの画素グループにおいて、それぞれ順次表示するフレームのパターンを説明するタイミングチャートである。
【０１３３】
以下に時点Ｒ０における表示状態について説明する。
【０１３４】
時点Ｒ０での表示部４１０Ａの表示状態は、初期フレームＦ０が表示された状態となっている。表示部４１０Ａは、この初期フレームＦ０をＦ１へ切り換える動作を開始する。ここで、Ｆ０の次のフレームＦ１は画素グループＢにおいて表示されるので、時点Ｒ０では画素グループＢにおいて表示されるフレームのパターンのみが切換られる。
【０１３５】
次に時点Ｒ１における表示部４１０Ａの表示状態について説明する。
【０１３６】
時点Ｒ１での画素グループＡでは、フレームＦ０のパターンの次に表示されるフレームであるＦ２のパターンを表示すべく表示切換中である。よって、画素グループＡにはいずれのフレームも視認可能に表示されていない。また、時点Ｒ１での画素グループＣでは、初期フレームＦ０のパターンの次に表示されるフレームであるＦ１のパターンを表示すべく表示切換中である。
【０１３７】
これに対し、時点Ｒ１での画素グループＢでは、Ｆ０のパターンから画素グループＢにおいて次に表示されるＦ１のパターンへの表示切換が完了し、Ｆ１のパターンが視認可能に表示されている。よって、表示部４１０Ａでは、Ｆ１が視認可能な状態で表示された状態となる。すなわち、時点Ｒ１で、表示部４１０Ａにおける初期フレームＦ０のパターンから次のフレームＦ１のパターンへの表示切換が完了する。
【０１３８】
本実施例では、時点Ｒ１において画素グループＢではＦ１のパターンが表示され、画素グループＣではＦ１のパターンが表示されようとしている。よって、三つの画素グループそれぞれが異なるフレームのパターンを表示する実施例２と比較すると、表示部４１０ＡにおいてフレームＦ１のパターンが表示される画素電極の数が多い。
【０１３９】
よって、本実施例において時点Ｒ１で表示部４１０Ａに視認可能に表示されたＦ１のパターンは、実施例２の時点Ｑ１で表示されたＦ１のパターンよりも視認性を高くすることができる。
【０１４０】
ここで、Ｆ０のパターンからＦ１のパターンへの表示切換に係る表示切換時間をＴ３ａとする。またこのとき、表示部４１０Ａでは画素グループＢに表示されたＦ１の背景に、画素グループＡにおける表示切換により生じる多少の残像が表示されることが予測されるが、この残像はＦ１のパターンの視認性を阻害しない程度のものである。
【０１４１】
次に、時点Ｒ２における表示状態について説明する。
【０１４２】
時点Ｒ２での画素グループＢでは、フレームＦ１のパターンの次に表示されるフレームであるＦ２のパターンを表示すべく表示切換中である。よって、画素グループＢにはいずれのフレームも視認可能に表示されていない。また、時点Ｒ２での画素グループＣでは、Ｆ１のパターンの次に示されるフレームであるＦ３のパターンを表示すべく表示切換中である。よって、画素グループＣにはいずれのフレームも視認可能に表示されていない。
【０１４３】
これに対し、時点Ｒ２での画素グループＡでは、Ｆ０のパターンから、画素グループＡにおいて次に表示されるＦ２のパターンへの表示切換が完了し、Ｆ２のパターンが視認可能に表示されている。
【０１４４】
よって時点Ｒ２では、画素グループＡにＦ２のパターンが表示され、画素グループＢではＦ２のパターンが表示されようとしている。よって、時点Ｒ２においても時点Ｒ１と同様に、三つの画素グループそれぞれが異なるフレームのパターンを表示する実施例２と比較すると、表示部４１０ＡにおいてフレームＦ２のパターンが表示される画素電極の数が多い。
【０１４５】
このため、時点Ｒ２で表示部４１０Ａに視認可能に表示されたＦ２のパターンは、実施例２の時点Ｑ２で表示されたＦ２のパターンよりも視認性を高くすることができる。ここで、Ｆ１のパターンからＦ２のパターンへの表示切換に係る表示切換時間をＴ３ｂとする。
【０１４６】
次に、時点Ｒ３における表示状態について説明する。
【０１４７】
時点Ｒ３での画素グループＡでは、フレームＦ２のパターンの次に表示されるフレームであるＦ３のパターンを表示すべく表示切換中である。よって、画素グループＡにはいずれのフレームも視認可能に表示されていない。また、時点Ｒ３での画素グループＢでは、Ｆ２のパターンの次に示されるフレームであるＦ４のパターンを表示すべく表示切換中である。よって、画素グループＢにはいずれのフレームも視認可能に表示されていない。
【０１４８】
これに対し、時点Ｒ３での画素グループＣでは、Ｆ１のパターンから、画素グループＣにおいて次に表示されるＦ３のパターンへの表示切換が完了し、Ｆ３のパターンが視認可能に表示されている。
【０１４９】
よって時点Ｒ３では、画素グループＣにＦ３のパターンが表示され、画素グループＡではＦ３のパターンが表示されようとしている。すなわち、時点Ｒ３においても時点Ｒ１と同様に、三つの画素グループそれぞれが異なるフレームのパターンを表示する実施例２と比較すると、表示部４１０ＡにおいてフレームＦ３のパターンが表示される画素電極の数が多い。
【０１５０】
このため、時点Ｒ３で表示部４１０Ａに視認可能に表示されたＦ３のパターンは、実施例２の時点Ｑ３で表示されたＦ３のパターンよりも視認性を高くすることができる。ここで、Ｆ２のパターンからＦ３のパターンへの表示切換に係る表示切換時間もＴ３ｂとする。
【０１５１】
ここで、表示切換時間Ｔ３ａと表示切換時間Ｔ３ｂを比較すると、表示切換時間Ｔ３ｂは表示切換時間Ｔ３ａの略２／３の長さとなる。表示切換時間Ｔ３ａは、画素パターン切換時間に該当するものであり、従来の表示装置１００における表示切換時間である。
【０１５２】
すなわち本実施例では、初期フレームから次のフレームへの表示切換を除き、それ以降の１フレーム毎の表示切換時間を従来の表示装置１００の略２／３の長さに短縮する。本実施例の表示切換時間は、実施例２の表示切換時間と比較して長い時間となるが、本実施例では表示されるフレームのパターンの視認性を向上させることができる。
【０１５３】
次に、表示部４１０Ａに表示される最大フレーム数に対する、各画素グループにおいて表示されるフレームの数の比率について説明する。
【０１５４】
例えば本発明の実施例１では、画素電極を二つの画素グループに分割し、各画素グループにおいて異なるフレームを表示させている。よって、実施例１における表示部に表示される最大フレーム数に対する、各画素グループにおいて表示されるフレームの数の比率は１／２となる。また、実施例２では、画素電極を三つの画素グループに分割し、各画素グループにおいて異なるフレームを表示させているので、表示部に表示される最大フレーム数に対する、各画素グループにおいて表示されるフレームの数の比率は１／３となる。
【０１５５】
本実施例では、画素電極を三つの画素グループに分割し、三つの画素グループのうち、二つの画素グループな同時に同じフレームを表示させるので、表示部に表示される最大フレーム数に対する、各画素グループにおいて表示されるフレームの数の比率は２／３となる。この比率が大きくなるほど、画素グループにフレームのパターンが表示されたときの視認性が向上する。
【０１５６】
次に、図１６、図１７を参照して実施例３における初期フレームから目標フレームに到達するまでの処理を説明する。図１６は表示部に表示される最大フレーム数に対する、各画素グループにおいて表示されるフレームの数の比率を決定する動作を説明するフローチャートである。
【０１５７】
表示装置４００において表示切換開始指示を受け付けると（Ｓ１６０１）、表示部に表示される最大フレーム数に対する、各画素グループにおいて表示されるフレームの数の比率が選択される（Ｓ１６０２）。
【０１５８】
ここで選択される比率は、例えば予め複数通りの比率がメモリ４２２に格納されており、Ｓ１６０１で表示装置４００が表示切換開始指示を受け付けたとき、コントローラ４２１が、表示部４１０Ａへ比率を選択させる表示画面を表示させ、設定部４２５によりユーザに任意の数字を選択させても良い。また、例えば予め複数通りの比率がメモリ４２２から、コントローラ４２１が適正に比率を選択しても良い。
【０１５９】
Ｓ１６０２において、比率が選択されると、表示装置４００はこの比率を満たすように、各画素グループにおけるフレームの表示切換処理を開始する（Ｓ１６０３）。そして、表示装置４０は、表示切換処理において目標フレームに到達する、表示切換処理を終了する（Ｓ１６０４）。
【０１６０】
以下に図１７を参照してＳ１６０３における表示切換処理について説明する。図１７は、実施例３の表示装置における表示切換処理を説明するフローチャートである。
【０１６１】
表示装置４００において、コントローラ４２１がフレームの表示切換指示を受け付けると、表示切換処理を開始する（Ｓ１７０１）。そして、コントローラ４２１は、表示切換処理が実行される前の初期フレームを第Ｎフレームとする（Ｓ１７０２）。
【０１６２】
次に、コントローラ４２１は、画素グループＡに第Ｎフレームのパターンを表示させ、画素グループＢ、画素グループＣに第（Ｎ＋１）フレームのパターンを表示させるべく、走査線１０６および信号線１０７へ信号を印加する（Ｓ１７０３）。すなわち、ＴＦＴ１０５がオンになっている走査線上に位置する画素電極１０２が、画素グループＡに属する画素電極の場合は、信号線１０７に第Ｎフレームの表示データ信号を印加する。そして、ＴＦＴ１０５がオンになっている走査線上に位置する画素電極１０２が、画素グループＢまたは画素グループＣに属する画素電極の場合は、信号線１０７に第（Ｎ＋１）フレームの表示データ信号を印加する。
【０１６３】
次に、コントローラ４２１は、第（Ｎ＋１）フレームが目標フレームであるか否かを判定する（Ｓ１７０４）。尚ここで、複数フレームのうち、どのフレームを目標フレームとするか、設定部４２５において予めユーザにより設定されていても良い。また、順次表示切換処理の実行中に、表示切換処理の中断指示を受け付けたときに表示されていたフレームを目標フレームとしても良い。
【０１６４】
Ｓ１７０４において、第（Ｎ＋１）フレームが目標フレームであった場合、コントローラ４２１は、画素グループＡ、Ｂ、Ｃの全てに第（Ｎ＋１）フレームのパターンを表示させるべく、走査線１０６と信号線１０７へ信号を印加する（Ｓ１７０５）。そして、表示部４１０Ａに第（Ｎ＋１）フレームを表示させ、表示切換処理を終了する（Ｓ１６０４）。尚、コントローラ４２１は、表示部４１０において目標フレームに到達し、表示切換処理を終了する際に、目標フレームが複数フレームのうち、どのフレームであったかを示す情報をメモリ４２２へ格納しても良い。
【０１６５】
Ｓ１７０４において、第（Ｎ＋１）フレームが目標フレームでなかった場合、コントローラ４２１は、画素グループＡ、画素グループＢに第（Ｎ＋２）フレームのパターンを表示させ、画素グループＣに第（Ｎ＋１）フレームのパターンを表示させるべく、走査線１０６と信号線１０７に信号を印加する（Ｓ１７０６）。
【０１６６】
次にコントローラ４２１は、第（Ｎ＋２）フレームが目標フレームであるか否かを判定する（Ｓ１７０７）。Ｓ１７０７において、第（Ｎ＋２）フレームが目標フレームであった場合、コントローラ４２１は、画素グループＡ、Ｂ、Ｃの全てに第（Ｎ＋２）フレームのパターンを表示させるべく、走査線１０６と信号線１０７へ信号を印加する（Ｓ１７０８）。そして、表示部４１０Ａに第（Ｎ＋２）フレームを表示させ、表示切換処理を終了する（Ｓ１６０４）。
【０１６７】
Ｓ１７０７において、第（Ｎ＋２）フレームが目標フレームでなかった場合、コントローラ４２１は、画素グループＡ、画素グループＣに第（Ｎ＋３）フレームのパターンを表示させ、画素グループＢに第（Ｎ＋２）フレームのパターンを表示さるべく、走査線１０６と信号線１０７に信号を印加する（Ｓ１７０９）。
【０１６８】
次にコントローラ４２１は、第（Ｎ＋３）フレームが目標フレームであるか否かを判定する（Ｓ１７１０）。Ｓ１７１０において、第（Ｎ＋３）フレームが目標フレームであった場合、コントローラ４２１は、画素グループＡ、Ｂ、Ｃの全てに第（Ｎ＋３）フレームのパターンを表示させるべく、走査線１０６と信号線１０７へ信号を印加する（Ｓ１７１１）。そして、表示部４１０Ａに第（Ｎ＋３）フレームを表示させ、表示切換処理を終了する（Ｓ１６０４）。
【０１６９】
以下、表示装置４００では表示部４１０Ａにおいて目標フレームが出現するまでＳ１７０３からＳ１７１２までの処理を繰り返す。
【０１７０】
このように、本発明によれば複数のフレームを表示させ、このフレームを順次切り換えていくと場合の表示切換時間を短縮することができる。
【０１７１】
以下に、図１８を参照して本発明の効果を説明する。図１８は、画素グループ数及び表示部に表示される最大フレーム数に対する、各画素グループにおいて表示されるフレームの数の比率に対する表示切換時間を説明する図である。
【０１７２】
図１８に示されるように、本発明によれば、いずれの実施例においても従来の表示装置と比較して表示切換時間を短縮することができる。尚図１８は、初期フレームから次のフレームへの表示切換に係る時間を例えば０．４秒と設定した場合の結果を示すものである。また、この場合に、走査時間は表示切換時間に比べて十分短いので、図１８に示す結果を算出する際の演算では考慮しないものとした。
【０１７３】
以上、各実施例に基づき本発明の説明を行ってきたが、上記実施例に示した要件に本発明が限定されるものではない。これらの点に関しては、本発明の主旨をそこなわない範囲で変更することができ、その応用形態に応じて適切に定めることができる。
【産業上の利用可能性】
【０１７４】
本発明は、電気泳動素子を用いた表示装置及び表示方法に応用可能である。
【図面の簡単な説明】
【０１７５】
【図１（Ａ）】従来の表示装置１００の構成を説明する第一の図である。
【図１（Ｂ）】従来の表示装置１００の構成を説明する第二の図である。
【図１（Ｃ）】従来の表示装置１００のＴＦＴ１０５を拡大した図である。
【図２】従来の表示装置１００における表示部の一例を示す図である。
【図３】従来の表示装置１００におけるフレームの切換動作を説明する第一のタイミングチャートである
【図４】実施例１の表示装置４００の構成を示すブロック図である。
【図５】実施例１の表示装置４００の表示部４１０を説明する図である。
【図６】表示部４１０に表示される複数のフレームの例を示す図である。
【図７】二つの画素グループにおいて、それぞれに表示されるフレームのパターンを説明するタイミングチャートである。
【図８】図７のタイミングチャートに対応させた走査線、信号線への入力信号及び表示部の表示状態を説明する図である。
【図９】表示装置４００における順次表示切換処理を説明するフローチャートである。
【図１０】実施例２の表示部４１０Ａを説明する図である。
【図１１】実施例２の三つの画素グループにおいて、それぞれ順次表示するフレームのパターンを説明するタイミングチャートである。
【図１２】図１１のタイミングチャートに対応させた走査線、信号線への入力信号及び表示部の表示状態を示す図である。
【図１３】分割される画素グループの数を決定する動作を説明するフローチャートである。
【図１４】実施例２における順次表示切換処理を説明するフローチャートである。
【図１５】実施例３の三つの画素グループにおいて、それぞれ順次表示するフレームのパターンを説明するタイミングチャートである。
【図１６】表示部に表示される最大フレーム数に対する、各画素グループにおいて表示されるフレームの数の比率を決定する動作を説明する。
【図１７】実施例３における順次表示切換処理を説明するフローチャートである。
【図１８】画素グループ数及び表示部に表示される最大フレーム数に対する、各画素グループにおいて表示されるフレームの数の比率に対する表示切換時間を説明する図である。
【符号の説明】
【０１７６】
１００、４００  表示装置
１０２  画素電極
１０５  ＴＦＴ
１０６  走査線
１０７  信号線
１０８、４２１  コントローラ
１０９、４２２、メモリ
４１０、４１０Ａ  表示部
【図１（Ａ）】
2008051939.tif 000003
【図１（Ｂ）】
2008051939.tif 000004
【図１（Ｃ）】
2008051939.tif 000005
【図２】
2008051939.tif 000006
【図３】
2008051939.tif 000007
【図４】
2008051939.tif 000008
【図５】
2008051939.tif 000009
【図６】
2008051939.tif 000010
【図７】
2008051939.tif 000011
【図８】
2008051939.tif 000012
【図９】
2008051939.tif 000013
【図１０】
2008051939.tif 000014
【図１１】
2008051939.tif 000015
【図１２】
2008051939.tif 000016
【図１３】
2008051939.tif 000017
【図１４】
2008051939.tif 000018
【図１５】
2008051939.tif 000019
【図１６】
2008051939.tif 000020
【図１７】
2008051939.tif 000021
【図１８】
2008051939.tif 000022